(57)【要約】      （修正有）【課題】シンプルな構造でありながら位置決めピンにネジ込みやすく、しかも螺合する雄ネジ分離体の交換が簡単にでき、かつ、作業性の効率を図った位置決めピン用引き抜き装置。【解決手段】上部に係止溝を設けた連結部１３を有し、下部は雄ネジ１１を形成した雄ネジ分離体１０と、長尺な軸３２に下部外径が上部外径より小さい段付円筒形のハンマー３３を外挿し、前記長尺な軸３２の下部に係合手段２７を設け、前記雄ネジ分離体１０と前記係合手段２７はワンタッチによって脱着自在になることを特徴とする、位置決めピン用引き抜き装置３０を構成した。【選択図】図１
2007290107.tif 000002
【特許請求の範囲】
【請求項１】
雄ネジ分離体と係合軸本体とからなり、前記雄ネジ分離体と前記係合軸本体とを一直線上に一致させ、前記雄ネジ分離体は、前記係合軸本体の係合手段のワンタッチによって、着脱自在になる位置決めピン用引き抜き装置であって、前記雄ネジ分離体は、一端に雄ねじを形成し中間は取ってを有し他端には連結部を具備してからなり、前記係合軸本体は、後端にストッパーを設けた長尺な軸と、該軸に外挿させたハンマーと、該軸の先端に係合手段を設けて、からなる、位置決めピン用引き抜き装置。
【請求項２】
上部に係止溝を設けた連結部を有し、中間は外面に平面を複数有するナット状の取っ手を有し、下部は雄ネジを形成した雄ネジ分離体と、長尺な軸の上部に該軸より大きな第１ストッパーを設け、前記長尺な軸の中間に第２ストッパーを設け、前記第１ストッパーと前記第２ストッパーの間に下部外径が上部外径より小さい段付円筒形のハンマーを外挿し、前記長尺な軸の下部に係合手段を設け、前記係合手段は、下部外径が上部外径より小さい段付形状を有し、前記係合手段の下端面からギリ穴を明け、該ギリ穴の中間部に軸に対して垂直方向に複数の孔を開け、前記係合手段の下部外週に付勢部材を挿入し、前記複数の孔に該孔の径より少し大きい係合球体を外挿し、前記係合手段の下部に、一端から他端に貫通する中空部を有し、前記一端と他端は中空部より大きい内径を有する両端付スリーブを移動自在に勘合し止めリングで止めてからなり、前記係合球体は両端付スリーブの内径に押圧され、前記両端付スリーブは付勢部材によって突出方向へ付勢されてなる係合軸本体と、を備え、前記雄ネジ分離体と前記係合軸本体はワンタッチによって脱着自在になることを特徴とする、位置決めピン用引き抜き装置。
【発明の詳細な説明】
【技術分野】
【０００１】  本発明は、二つの部品の位置を合わせる為に該部品にそれぞれ位置決めピン用孔を明け、位置決めピンを打ち込んで後、打ち込まれた位置決めピン（ノックピン）を引き抜く際に使用する位置決めピン用引き抜き装置に関するものである。
【背景技術】
【０００２】  冶具および金型等において、二つの部品の位置を正確に合わせる為に、また、各部品に締め付けたボルトが使用中に緩みによって該部品の位置がずれるのを防止するために、前記各部品にそれぞれ位置決めピン用孔を明け位置決めピンを打ち込む。
どころが、前記冶具および金型等は改修および修理を行う場合が生じる。
この時、前記部品に打ち込まれた位置決めピンを引き抜く必要がある。【０００３】  従来、手動の位置決めピン用引き抜き装置は、図４に示す様に、先端に雄ネジ１４を、後端にストッパー３４をそれぞれ形成した長尺な軸３２と、該軸３２に貫通させた段付円筒形のハンマー３３を外挿してから構成されている。【０００４】  前記引き抜き装置を使用して位置決めピンを引き抜く際には、先端の雄ネジを位置決めピンの雌ネジに十分螺合した後、ハンマーを上方に移動しストッパーに当接させ、この衝撃力を利用して位置決めピンを引き抜く。【０００５】  ところで、前記引き抜き装置を使用して位置決めピンの雌ネジに螺合する際に、該引き抜き装置の重さによって、両手を用いて一手は該引き抜き装置のハンマーを掴み、もう一手は軸本体を回転させながら螺合するため、大変な努力が必要だし螺合しにくい問題が生じる。
また、位置決めピンの外径の大きさによって形成された雌ネジのサイズが異なるため、前記引き抜き装置の先端の雄ネジ分離体を段替えする必要があるが、前記先端の雄ネジ分離体は該軸にネジ式による脱着自在なので段替えが面倒である。
なお、前記ネジ式による脱着自在部は、ハンマーの衝撃によって緩みやすくなるので作業性の効率が非常に悪い。
【発明の開示】
【発明が解決しようとする課題】
【０００６】  構造が簡単ながら位置決めピンに螺合する際に螺合しやすく、しかも、長尺な軸の先端にネジ式による脱着自在である雄ネジ分離体の段替えを簡単にでき、さらに、前記ネジ式による脱着自在部の緩みをなくし、作業性の効率を上げた位置決めピン用引き抜き装置を提供することを目的とする。
【課題を解決するための手段】
【０００７】上部に係止溝を設けた連結部を有し、中間は外面に平面を複数有するナット状の取っ手を有し、下部は雄ネジを形成した雄ネジ分離体と、長尺な軸の上部に該軸より大きな第１ストッパーを設け、前記長尺な軸の中間に第２ストッパーを設け、前記第１ストッパーと前記第２ストッパーの間に下部外径が上部外径より小さい段付円筒形のハンマーを外挿し、前記長尺な軸の下部に係合手段を設け、前記係合手段は、下部外径が上部外径より小さい段付形状を有し、前記係合手段の下端面からギリ穴を明け、該ギリ穴の中間部に軸に対して垂直方向に複数の孔を開け、前記係合手段の下部外週に付勢部材を挿入し、前記複数の孔に該孔の径より少し大きい係合球体を外挿し、前記係合手段の下部に、一端から他端に貫通する中空部を有し、前記一端と他端は中空部より大きい内径を有する両端付スリーブを移動自在に勘合し止めリングで止めてからなり、前記係合球体は両端付スリーブの内径に押圧され、前記両端付スリーブは付勢部材によって突出方向へ付勢されてなる係合軸本体と、を備え、前記雄ネジ分離体と前記係合軸本体はワンタッチによって脱着自在になることを特徴とする、位置決めピン用引き抜き装置を構成した。
【発明の効果】
【０００８】  前記説明した本発明によれば、係合軸本体と雄ネジ分離体とをワンタッチによる脱着自在の構造にすることで、雄ネジ分離体だけで位置決めピンに螺合することが可能になり、軽くて螺合しやすくなるため、一層用易に作業を行うことができる。【０００９】  また、係合軸本体一本に対して、位置決めピンの雌ネジに螺合する雄ネジ分離体が、位置決めピン径の大きさによって雌ネジのサイズが異なるため、複数のサイズを用いて交換しながら使用していたが、ワンタッチによる脱着自在にすることで交換が簡単にできるようになる。【００１０】  さらに、係合軸本体に雄ネジ分離体を頻繁に交換するので、ハンマーの衝撃によって前期ネジ式による脱着自在部が緩みやすくなる問題があったが、雄ネジ分離体がワンタッチによる脱着自在になるので、ネジ式による脱着自在部がなくなる。
【発明を実施するための最良の形態】
【００１１】  簡単でシンプルな構造でありながら係合軸本体に係合部を、雄ネジ分離体に連結部をそれぞれ設けて、ワンタッチによる脱着可能な構造にした。
【実施例】
【００１２】  以下、本発明の実施の形態を図面に基づいて説明する。
本発明に係わる位置決めピン用引き抜き装置３０は、位置決めピンの雌ネジに螺合する雄ネジ分離体１０と、雄ネジ分離体１０を係合しで位置決めピン４０を引き抜く係合軸本体２０と、係合軸本体２０に外挿させ引き抜く力を発生させるハンマー３３とから構成されている。【００１３】  雄ネジ分離体１０は、先端（図１の下端）に、位置決めピンに形成されている雌ネジに螺合するための雄ネジ１１が形成され、中間は手動で螺合する為の外面に平面を複数有するナット状の取っ手１２を有し、後端は係止溝を有する連結部１３が設けられている。【００１４】  また、雄ネジ分離体１０は、図３に示す様に取っ手部１２と雄ネジ部１８が結合体１７による分割された構造を有することもでき、前記雄ネジ部の先端が磨耗による技能喪失のとき、一般規格品であるボルトを使用して交換をすることができる。【００１５】  係合軸本体２０は、長尺な軸３２の上部（図１の上端）に該軸より大きなストッパー３４を設け、ハンマー３３を当接させ位置決めピンを引き抜く力を発生させるようにしてある。
なお、この長尺な軸３２の中間に第２ストッパー３１を設け、ハンマー３３が長尺な軸３２から抜けないようにしてある。
また、長尺な軸３２の下部に設けた係合手段（図１の中間）２７は、下端部外径が上端部外径より小さい段付形状を設け、外面に両端付スリーブ２５を常に突出方向へ付勢させるための付勢部材２５を挿入してある。
上記係合手段２７の下端面からギリ穴２２を明け、雄ネジ分離体１０の連結部１３が係合されるとき、収納空間を設けてある。
さらに、上記ギリ穴２２の中間部に、軸に対して垂直方向に複数の孔２１を明け、孔の径より少し大きい係合球体２４を外挿し、係合された雄ネジ分離体１０の連結部１３が抜けないように押圧する。
さらにまた、上記係合部２７の先端の外週に、一端から他端に貫通する中空部を有し、一端と他端は中空部より大きい内径を有する両端付スリーブ２３を移動自在に勘合し止めリング２２で止め（図２）、上記外挿した係合球体２４を押圧してある。【００１６】上記係合部２７の先端の外周には、止めリング２２を係止するための係止溝２１が形成されている（図２）。【００１７】  次に、上述した位置決めピン用引き抜き装置３０を用いて、位置決めピン４０を引き抜く為の操作方法について説明する。
位置決めピン４０は、図１に示す様に二つの部品５１と５２を重ね合わせた部分に一連の穿孔した位置決め孔５５内に打ち込まれ、両部品５１と５２の位置を規制している。
この位置決めピン４０を引く抜く為には、まず、雄ネジ分離体１０を位置決めピン４０に形成されている雌ネジ４１に十分にネジ込む。【００１８】  そして、両手を用いて、一手は係合軸本体２０の上部（図１の上端）を掴み、もう一手は両端付スリーブ２３を引き上げる。
両端付スリーブ２３を引き上げた状態で係合手段２７を雄ネジ分離体１０の連結部に係合させ、両端付スリーブ２３を手から離す。【００１９】  手から離された両端付スリーブ２３は、図２に示すように付勢部材２５によって突出方向へ付勢される。
前記付勢された両端付スリーブ２３の中間部の内径が係合球体２４を押圧し、該係合球体２４が雄ネジ分離体１０の連結部１３の係止溝に引っ掛かって雄ネジ分離体１０と係合軸本体２０は係合され、合体された状態になる。
この状態でハンマー３３を上方に移動してストッパー３４繰り返し当接させると、ハンマーの衝撃によって衝撃力が発生する。
この衝撃力を利用して位置決めピン４０を引き抜く。【００２０】  打ち込まれた位置決めピン４０は、ピン径の大きさによって形成される雌ネジのサイズがそれぞれ異なるため、雄ネジ分離体１０の雄ネジ１１も位置決めピン４０の雌ネジに合わせて用意し、必要に応じて段替えが簡単にできる。
（図５参照）【００２１】  本発明は、係合軸本体と雄ネジ分離体がワンタッチによって脱着自在に係合されるので、エアーツールにも適用することができる。
【産業上の利用可能性】
【００２２】  本発明は、簡単な構造なので製造が容易であり、安価に提供することができる。
また、係合軸本体２０に係合手段２７を、雄ネジ分離体１０に連結部１３をそれぞれ設け、脱着自在可能な構造にした為、螺合する時に作業性を向上させた上、雄ネジ分離体１０の交換が簡単に済むので、使用時に便利に利用できる。
【図面の簡単な説明】
【００２３】
【図１】係合軸本体と雄ネジ分離体の作業前の様子を示した断面図である。
【図２】係合軸本体に雄ネジ分離体を係合した状態を示した詳細図である。
【図３】雄ネジ分離体と位置決めピンに螺合する雄ネジを結合体を用いて分割した状態を示した図である。
【図４】従来の手動式位置決めピン用引き抜き装置の外形図である。
【図５】係合軸本と該軸本体の係合部に係合される雄ネジ分離体のサイズ別を表した図である。
【符号の説明】
【００２４】１０  雄ネジ分離体
１１  雄ネジ
１２  取っ手
１３  連結部
２０  係合軸本体
２１  係止溝
２２  止めリング
２３  両端付スリーブ
２４  係止球体
２５  付勢部材
２７  係合手段
３０  本発明に係わる位置決めピン用引き抜き装置
３１  第２ストッパー
３２  長尺な軸
３３  ハンマー
３４  第１ストッパー
４０  位置決めピン
４１  位置決めピンの雌ネジ
５１，５２  位置決めピンにより位置決めした部品
【図１】
2007290107.tif 000003
【図２】
2007290107.tif 000004
【図３】
2007290107.tif 000005
【図４】
2007290107.tif 000006
【図５】
2007290107.tif 000007